(57)【要約】【課題】指標部の表示に対して立体感をより強調できる指針計器を提供する。【解決手段】指針計器１は、文字盤２と、文字盤２の目視側前面に沿って回動する指針３と、指針３より目視側に配置され且つ指標部の少なくとも一部８２が形成された透光性部材８とを備え、透光性部材８が、文字盤２の一部を透光性部材８を通して目視側から視認できるように配置されている。これにより、指標部の表示に立体感を強調できる指針計器を提供することができる。【選択図】図２
2007212311.tif 000002
【特許請求の範囲】
【請求項１】
文字盤と、
前記文字盤の目視側前面に沿って回動する指針と、
前記指針より目視側に配置され、指標部の少なくとも一部が形成された透光性部材とを備え、
前記透光性部材は、前記文字盤の一部を該透光性部材を通して目視側から視認できるように配置されていることを特徴とする指針計器。
【請求項２】
光源を備え、
前記透光性部材は、前記光源の発した光を受けて、該透光性部材に形成された指標部を該指標部からの反射光として視認させるように構成されていることを特徴とする請求項１に記載の指針計器。
【請求項３】
前記透光性部材に形成された前記指標部は、該透光性部材の目視側前面に形成され、
前記光源は、前記透光性部材に形成された前記指標部を目視側から照明するように配置されていることを特徴とする請求項２に記載の指針計器。
【請求項４】
前記透光性部材に形成された前記指標部は、前記透光性部材において目視側と反対側の面に形成され、
前記透光性部材は、前記光源の発した光を導入し、該透光性部材中において前記指標部を目視側から照明するように構成されていることを特徴とする請求項２に記載の指針計器。
【請求項５】
前記光源は、前記文字盤の背後側に配置され、
前記文字盤は、前記光源の一部の光を受けて透過照明されるように構成されていることを特徴とする請求項２ないし請求項４のいずれか一項に記載の指針計器。
【請求項６】
前記光源は、前記文字盤の背後側に配置され、
前記文字盤は、前記光源の一部の光を受けて透過照明されるように構成され、
前記透光性部材は、前記光源の発した光を導入する導光部を、前記文字盤の背後側に備えることを特徴とする請求項４に記載の指針計器。
【請求項７】
前記透光性部材に形成された前記指標部は、光反射層とシボ面と凹凸面のいずれかとして形成されていることを特徴とする請求項２ないし請求項６のいずれか一項に記載の指針計器。
【請求項８】
前記透光性部材は、前記指針の先端が回動する方向へ沿った形状に形成され、且つ、該指針の一部を該透光性部材を通して目視側から視認できるように配置されていることを特徴とする請求項１ないし請求項７のいずれか一項に記載の指針計器。
【請求項９】
前記指標部の残部が前記文字盤に形成されていることを特徴とする請求項１ないし請求項８のいずれか一項に記載の指針計器。
【発明の詳細な説明】
【技術分野】
【０００１】
本発明は、指針計器に関するものである。
【背景技術】
【０００２】
近年、指針計器として、その見映えや視認性を向上させるため、様々な方法が提案されている。
【０００３】
例えば、指針の外周を取り巻くリング状に形成された透光性部材を、文字盤上に備えた指針計器が開示されている（特許文献１を参照）。
【０００４】
この透光性部材は、文字盤の透過照明用光源が発した光の一部を導入して、文字盤を、透光性部材の内周面から上部照明する。目盛部が、文字盤において透光性部材の内側近傍に形成され、この目盛部が形成された部位が透光性部材の内周面と対向するように凹み形状に形成されている。このため、この部位が透光性部材の内周面から上部照明されて、この凹み形状が強調される。これにより、目盛部の表示に立体感を持たせ、見栄えのある斬新な視認性を得ようとするものである。
【０００５】
また、文字盤上に形成されたリング状の透光性部材と、透光性部材内に光を入射させる光源とを備えた指針計器が開示されている（特許文献２を参照）。
【０００６】
透光性部材は、光源が発した光を反射光として視認させる反射部を備える。この反射部は、複数の凹部として形成され、車速計の目盛部を構成する。このため、文字盤よりも目視側に位置する透光性部材の目盛部（凹部）が、文字盤を基準として立体的に視認される。これにより、目盛部の表示に立体感を持たせ、見栄えのある斬新な視認性を得ようとするものである。
【特許文献１】２００２−２５７６０１号公報
【特許文献２】２００３−３０２２６２号公報
【発明の開示】
【発明が解決しようとする課題】
【０００７】
しかし、特許文献１で得られる立体感は、文字盤において凹み形状に形成されている部位が、上部照明され、この凹み形状が強調されるという単純なものである。このため、特許文献１で得られる立体感には、一定の限界が有る。
【０００８】
一方、特許文献２で得られる立体感は、文字盤よりも目視側に位置する透光性部材の目盛部が、文字盤を基準として視認されることにより得られるものである。このため、一定の効果が得られるが、透光性部材の板厚分の立体感しか期待できない。
【０００９】
このことは、目盛部の表示に限らず、文字を含む指標部の表示に共通する。
【００１０】
本発明は、上記点に鑑みてなされたものであり、指標部の表示に対して立体感をより強調できる指針計器を提供することを目的とする。
【課題を解決するための手段】
【００１１】
本発明は上記目的を達成するため、以下の技術的手段を採用する。
【００１２】
請求項１に記載の指針計器は、文字盤と、文字盤の目視側前面に沿って回動する指針と、指針より目視側に配置され且つ指標部の少なくとも一部が形成された透光性部材とを備え、透光性部材が、文字盤の一部を透光性部材を通して目視側から視認できるように配置されていることを特徴とする。
【００１３】
この構成では、透光性部材を指針より目視側に配置するため、透光性部材を文字盤の目視側前面に配置した構成と比較して、透光性部材に形成された指標部と文字盤との距離を大きくとることができる。また、この構成では、透光性部材が、文字盤の一部を透光性部材を通して目視側から視認できるように配置されているため、透光性部材に形成された指標部が、文字盤に対してこの間の距離分だけ浮いて見える。
【００１４】
これにより、指標部の表示に対して立体感をより強調できる指針計器を提供することができる。
【００１５】
請求項２に記載の指針計器は、光源を備え、透光性部材が、光源の発した光を受けて、透光性部材に形成された指標部を指標部からの反射光として視認させるように構成されていることを特徴とする。
【００１６】
この構成では、透光性部材が、透光性部材に形成された指標部を、光源の発した光の反射光として視認させるように構成されている。これにより、透光性部材の透光性を確保しつつ、指標部をより鮮明に視認させることができる。この結果、上述の効果をより高めることができる。
【００１７】
即ち、透光性部材の透光性を確保するため、透光性部材において指標部の背景部分を指標部より透光性を高く形成する必要がある。換言すると、指標部をその背景部分より透光性を低く形成する必要がある。このため、指標部を、光源の発した光の透過光として視認させる場合、この指標部の透光性を低くする必要があるため、この透過光の強度が低くなる。これにより、指標部を鮮明に視認させることができない。
【００１８】
これに対して、本構成においては、透光性部材に形成された指標部を、光源の発した光の反射光として視認させるように構成しているため、指標部をその背景部分より透光性を低く、即ち、反射率を高く形成することが可能となる。これにより、指標部からの反射光の強度を高くすることが可能となり、この結果、透光性部材の透光性を確保しつつ、指標部をより鮮明に視認させることができる。
【００１９】
請求項３に記載の指針計器は、透光性部材に形成された指標部が、透光性部材の目視側前面に形成され、光源が、透光性部材に形成された指標部を目視側から照明するように配置されていることを特徴とする。
【００２０】
この構成では、指標部が透光性部材の目視側前面に形成されため、文字盤と指標部との距離を、透光性部材の板厚分だけより大きくとることができる。これにより、上述の効果をさらに高めることができる。
【００２１】
請求項４に記載の指針計器は、透光性部材に形成された指標部が、透光性部材において目視側と反対側の面に形成され、透光性部材が、光源の発した光を導入し、透光性部材中において指標部を目視側から照明するように構成されていることを特徴とする。
【００２２】
この構成では、透光性部材が、光源の発した光を導入し、透光性部材中において指標部を目視側から照明するように構成されている。これにより、光源の発した光を導入する位置を任意に選択することが可能となるため、光源の配置に自由度が得られる。この結果、上述の効果を、より簡易な構成で得ることができる。
【００２３】
請求項５に記載の指針計器は、光源が、文字盤の背後側に配置され、文字盤が、光源の一部の光を受けて透過照明されるように構成されていることを特徴とする。
【００２４】
この構成では、透光性部材に光を入射させる光源と文字盤の透過照明光源とを共用させるため、部品点数の増加を抑えつつ上述の効果を得ることができる。
【００２５】
請求項６に記載の指針計器は、光源が、文字盤の背後側に配置され、文字盤が、光源の一部の光を受けて透過照明されるように構成され、透光性部材が、光源の発した光を導入する導光部を、文字盤の背後側に備えることを特徴とする。
【００２６】
この構成では、透光性部材に光を入射させる光源と文字盤の透過照明光源とを共用させ、光源の発した光を導入する導光部を、文字盤の背後側に備える。これにより、請求項４の効果を、部品点数の増加を抑えつつ簡易な構成で得ることができる。
【００２７】
請求項７に記載の指針計器は、透光性部材に形成された指標部が、光反射層とシボ面と凹凸面のいずれかとして形成されていることを特徴とする。
【００２８】
この構成では、指標部が、光反射率の高い光反射層とシボ面と凹凸面のいずれかとして形成されている。これにより、指標部がより鮮明に視認されるため、上述の効果をより高めることができる。
【００２９】
請求項８に記載の指針計器は、透光性部材が、指針の先端が回動する方向へ沿った形状に形成され、且つ、指針の一部を透光性部材を通して目視側から視認できるように配置されていることを特徴とする。
【００３０】
この構成では、透光性部材が、指針の先端が回動する方向へ沿った形状に形成され、且つ、指針の一部を透光性部材を通して目視側から視認できるように配置されている。このため、透光性部材に形成された指標部と文字盤の間の位置に指針が重なって視認される。これにより、指標部と文字盤の対比に加えて、指針の対比が加わり、指標部の表示に立体感をより強調することができる。
【００３１】
請求項９に記載の指針計器は、指標部の残部が文字盤に形成されていることを特徴とする。
【００３２】
この構成では、文字盤に形成された指標部と透光性部材に形成された指標部との対比によって、指標部の表示に対して立体感をより強調することができる。この結果、指標部の表示に対して立体感をさらに強調できる指針計器を提供することができる。
【発明を実施するための最良の形態】
【００３３】
以下、本発明による指針計器を、自動車に搭載されるコンビネーションメータに適用した場合を例に図面に基づいて説明する。
【００３４】
（構成）
図１は、本発明の一実施形態による指針計器であるコンビネーションメータ１の正面図である。
【００３５】
図２は、図１中のＩＩ−ＩＩ線断面図である。
【００３６】
図３は、本発明の一実施形態によるコンビネーションメータ１の電気回路構成を説明する回路構成図である。
【００３７】
指針計器であるコンビネーションメータ１は、自動車の運転席前方に配置されて当該自動車に関する各種情報を表示する。本発明の一実施形態によるコンビネーションメータ１は、図１に示すように、走行速度を表示する速度計を構成する。
【００３８】
速度計には、文字盤２と、その目視側前面（図２の矢印が示す上側の面）に沿って回動する指針３と、指針３より目視側（図２の矢印が示す上側）に配置され且つ指標部である目盛部８２が形成された透光性部材である透光性リング８が設けられる。
【００３９】
文字盤２は、透光性を有する材料、例えば無色透明なポリカーボネート樹脂等の板材から形成され、その運転者側の目視側前面に、指標部である文字部２１が、印刷あるいはホットスタンプにより形成される。文字部２１は、例えば白色の透光状態になるように形成され、その背景は、つや消しの、例えば青色の不透光状態（または、つや消しの透光性が低い状態）になるように形成される。
【００４０】
また、文字盤２は、図１と図２に示すように、その意匠性を高めるためその外周側を目視側へ突出させるように形成され、文字部２１の印刷等が施された後、圧空成型（絞り成型の一種）等によってこの突出する形状に形成される。
【００４１】
文字盤２には、図２に示すように、後述するムーブメント３１のシャフト３１ａを挿通させるための貫通孔２３が設けられ、文字盤２の背後（図２の矢印が示す下側）には、ムーブメント３１、光源である発光ダイオード４１、発光ダイオード４２、ケース５、拡散板６およびプリント基板９が配置される。プリント基板９は、速度計の電気回路部を構成するものであり、ムーブメント３１と発光ダイオード４１、４２は、プリント基板９に実装される。
【００４２】
ムーブメント３１は、例えば交差コイル式アクチュエータ、あるいはステッピングモータ等から構成され、外部からの電気信号（本実施形態においては車速信号）に対応した角度だけシャフト３１ａを回動させるものである。シャフト３１ａは、文字盤２の貫通孔２３を通して目視側、つまり図２の矢印が示す上側へ延出し、その先端に指針３が固定される。
【００４３】
ケース５は、発光ダイオード４２からの例えば白色光を指針３へ導く照明室を形成すると共に、発光ダイオード４１からの例えば白色光を拡散板６へ導く照明室を形成する。なお、ケース５は、その内周面が白色に形成される。発光ダイオード４２の光は、ケース５の内周面で反射して指針３の方向に導かれ、発光ダイオード４１の光は、ケース５の内周面で反射して拡散板６に導かれる。
【００４４】
指針３は、アクリル樹脂等の透光性材料により形成され、その指針３の前面に赤色層を有する。指針３は、指針３内に入射した発光ダイオード４２の白色光によって、赤色で発光表示されるように構成される。遮光キャップ３２は、発光ダイオード４２の白色光が直接運転者の目に入射しないようにするものであり、不透光性の樹脂等から形成される。
【００４５】
拡散板６は、拡散板６内に入射した発光ダイオード４１の白色光を拡散させて文字盤２を均一に透過照明させるものであり、発光ダイオード４１の一部の白色光を透光性リング８へ向かって反射するものである。
【００４６】
本発明の特徴である透光性リング８は、無色透明のアクリル樹脂等からリング状に形成される。目盛部８２が、透光性リング８において指針３の目視側（図２において上側）と反対側の面に白色の光反射層として形成される。また、透光性リング８は、発光ダイオード４１の拡散板６による反射光を透光性リング８内に導入する導光部である受光面８３と、反射面８４、８５とを備える。
【００４７】
反射面８４、８５は、受光面８３から透光性リング８内に導入された発光ダイオード４１の光を目盛部８２に導き、目盛部８２を透光性リング８中において目視側から照明させる。これにより、目盛部８２を目盛部８２からの反射光として視認させる。透光性リング８は、ケース５に対して引っ掛けやねじ等により固定される。
【００４８】
透光性リング８は、樹脂成形により形成される、目盛部８２は、この成形後にホットスタンプ等で形成される。
【００４９】
意匠板１２は、文字盤２の端部や透光性リング８の受光面８３と反射面８４、８５等を覆い隠すものである。
【００５０】
以上説明した本実施形態によるコンビネーションメータ１の電気回路構成について、図３に基づいて説明する。
【００５１】
マイクロコンピュータ等から構成される制御装置１０には、バッテリ１４から電力が常時供給され、イグニッションスイッチ１３がその操作ポジション（オフポジション、オンポジション）を検出可能に接続される。また、制御装置１０には当該自動車の走行速度を検出する車速センサ１１がその信号を入力可能に接続される。
【００５２】
また、車速センサ１１からの検出信号に応じて制御装置１０によって駆動されるムーブメント３１、発光ダイオード４１、４２も、制御装置１０に接続される。
【００５３】
（作動）
以下に、上記構成において、本実施形態によるコンビネーションメータ１の作動を説明する。
【００５４】
運転者によってイグニッションスイッチ１３がオンされると、図３において、制御装置１０は、それを検出して作動を開始し、発光ダイオード４１、４２を点灯させると共に、ムーブメント３１を駆動する。即ち、制御装置１０は、速度センサ１１からの出力信号に基づき、当該自動車の車速を算出し、これに対応した角度だけシャフト３１ａを回動させるように、ムーブメント３１を駆動する。
【００５５】
点灯した発光ダイオード４２の白色光は、図２において光路Ｐ３に従って、ケース５により導かれ、指針３を赤色で発光表示させる。
【００５６】
点灯された発光ダイオード４１の白色光の一部は、図２において光路Ｐ２に従って、ケース５に導かれて拡散板６内で均一化され、文字盤２（文字部２１）を透過照明する。これにより、文字盤２では、文字部２１が青色を背景として白色で発光表示する。
【００５７】
一方、点灯した発光ダイオード４１の白色光の一部は、図２において光路Ｐ１に従って、拡散板６で反射して、受光面８３と反射面８４、８５を介して透光性リング８中において目盛部８２を目視側から照明する。これにより、目盛部８２は、目盛部８２からの白色の反射光として視認される。
【００５８】
ここで、透光性リング８が指針３より目視側に配置されているため、透光性リング８を文字盤の目視側前面に配置した構成と比較して、文字盤２と透光性リング８の目盛部８２との距離を大きくとることができる。また、透光性リング８が、文字盤２の一部を透光性リング８を通して目視側から視認できるように配置されているため、文字盤２を透光性リング８を通して視認することができる。
【００５９】
これにより、透光性リング８の目盛部８２を、文字盤２を基準として立体感が強調された状態で視認することができる。即ち、目盛部８２が、背景が青色の文字盤２に対して、透光性リング８に浮いているように見える。文字盤２と透光性リング８の目盛部８２との距離を大きくとることができるため、浮いているように見えることが、より強調される。
【００６０】
また、発光ダイオード４１の白色光を透光性リング８内に導いて、目盛部８２を目視側から照明し、目盛部８２を目盛部８２からの白色の反射光として視認させる。このため、目盛部８２をより鮮明に視認させることができる。
【００６１】
即ち、透光性リング８の透光性を確保するため、透光性リング８において目盛部８２の背景部分を目盛部８２より透光性を高く形成する必要がある。換言すると、目盛部８２をその背景部分より透光性を低く形成する必要がある。このため、目盛部８２を、発光ダイオード４１の発した光の透過光として視認させる場合、この目盛部８２の透光性を低くする必要があるため、この透過光の強度が低くなる。これにより、目盛部８２を鮮明に視認させることができない。
【００６２】
これに対して、目盛部８２を、発光ダイオード４１の発した光の反射光として視認させるように構成しているため、発光ダイオード４１をその背景部分より透光性を低く、即ち、反射率を高く形成することが可能となる。これにより、発光ダイオード４１からの反射光の強度を高くすることが可能となり、この結果、透光性リング８の透光性を確保しつつ、目盛部８２をより鮮明に視認させることができる。
【００６３】
また、指針３の一部を透光性リング８を通して視認することができるように配置されている。このため、目盛部８２と文字盤２の間の位置に指針３が重なって視認される。これにより、目盛部８２と文字盤２の対比に加えて、指針３の対比が加わり、目盛部８２の表示に立体感をより強調することができる。
【００６４】
また、透光性リング８が、光源の発した光を導入し、透光性リング８中において目盛部８２を目視側から照明するように構成されている。これにより、光源の発した光を導入する受光面８３の位置を任意に選択することが可能となるため、光源の配置に自由度が得られる。この結果、文字盤２を透過照明する発光ダイオード４１を、透光性リング８の光源として利用することが可能となり、部品点数の増加を抑えつつ上述の効果を得ることができる。
【００６５】
また、文字盤２に形成された文字部２１と透光性リング８に形成された目盛部８２との対比によって、文字部２１と目盛部８２とを併せた指標部の表示に対して立体感をより強調することができる。
【００６６】
（変形例）
図４（ａ）は、図２に示す目盛部８２の変形例を示すＩＶＡ部の拡大図であり、図４（ｂ）は、図４（ａ）中のＩＶＢ矢視図である。
【００６７】
目盛部８２は、光反射層として形成する必要はなく、図４に示すように、鋸刃状の凹凸面として形成することも可能である。この場合、点灯された発光ダイオード４１の白色光は、図４（ａ）において光路Ｐ１に従って、目盛部８２の鋸刃状の凹凸面で反射して、目盛部８２を目盛部８２からの白色の反射光として視認させる。これにより上述の効果を得ることができる。
【００６８】
また、目盛部８２を、微細な凹凸を有するシボ面として形成することも可能である。
【００６９】
目盛部８２を、鋸刃状の凹凸面や微細な凹凸を有するシボ面として形成する場合、目盛部８２を透光性リング８の成形時に形成することができる。
【００７０】
図５は、図２に示すコンビネーションメータ１の第１変形例を示す断面図である。
【００７１】
第１変形例では、図５に示すように、上述の場合と異なり、光源である発光ダイオード４１により、指針３の発光表示と、文字盤２の透過照明と、透光性リング８の目盛部８２の発光表示を行う。
【００７２】
具体的に、図２に示す拡散板６の代わりに、発光ダイオード４１の光を指針３と文字盤２と透光性リング８の受光面８３とに導くプリズム７を設け、これにより、発光ダイオード４２を省略する。この結果、部品点数を低減しつつ、上述の効果を得ることができる。
【００７３】
図６は、図１に示すコンビネーションメータ１の第２変形例を示す断面図である。
【００７４】
第２変形例では、図６に示すように、上述の場合と異なり、文字盤２に文字部２１の代わりに目盛部２２を形成し、透光性リング８に目盛部８２の代わりに文字部８１を形成する。第２変形例においても、上述の効果を得ることができる。
【００７５】
図７は、図２に示すコンビネーションメータ１の第３変形例を示す断面図である。
【００７６】
第３変形例では、図７に示すように、上述の場合と異なり、目盛部８２が透光性リング８の目視側前面（図７において上側の面）に形成され、光源である発光ダイオード４１が目盛部８２を目視側から照明するように配置される。また、文字盤２の透過照明専用の発光ダイオード４３を新たに設ける。
【００７７】
第３変形例では、目盛部８２が透光性リング８の目視側前面に形成されているため、文字盤２と目盛部８２との距離を、上述の例に比較して透光性リング８の板厚Ｔ分だけより大きくとることができる。これにより、目盛部８２と文字部２１を併せた指標部の表示に対して立体感をより強調できる。
【００７８】
尚、図７において、発光ダイオード４１を模式的に示したが、発光ダイオード４１を、プリント基板９と別体の図示しないプリント基板に実装する構成とすることが可能である。または、発光ダイオード４１をプリント基板９に実装して、発光ダイオード４１の光を図示しない導光部材により導いて、目盛部８２を目視側から照明するように構成することも可能である。
【００７９】
尚、上述の例では、透光性リング８を、無色透明に形成したが、透光性を有する限り無色透明に限らない。
【００８０】
また、文字盤２２を、図２に示すように、その意匠性を高めるためその外周側を目視側へ突出させるように形成したが、平板状に形成することも可能である。
【００８１】
また、コンビネーションメータ１が速度計を形成しているが、これに限る必要は無く、他の計器、例えば回転計等と置き換える、あるいは追加することができる。
【００８２】
また、上述の例では、透光性リング８は、発光ダイオード４１の発した光を受けて、目盛部８２（文字部８１）を目盛部８２からの反射光として視認させるように構成されている。しかし、これに限るものではなく、目盛部８２（文字部８１）を自然光による反射光として視認させることも可能である。
【００８３】
以上説明した本発明による指針計器であるコンビネーションメータ１は、文字盤２と、文字盤２の目視側前面に沿って回動する指針３と、指針３より目視側に配置され且つ指標部の少なくとも一部である目盛部８２が形成された透光性部材である透光性リング８とを備え、透光性リング８が、文字盤２の一部を透光性リング８を通して目視側から視認できるように配置されている。これにより、指標部の表示に立体感を強調できる指針計器を提供することができる。
【００８４】
また、本発明は、上述の例に限らず、これらの組み合わせや、他の種々の変形例が考えられる。
【図面の簡単な説明】
【００８５】
【図１】図１は、本発明の一実施形態による指針計器であるコンビネーションメータ１の正面図である。
【図２】図２は、図１中のＩＩ−ＩＩ線断面図である。
【図３】図３は、本発明の一実施形態によるコンビネーションメータ１の電気回路構成を説明する回路構成図である。
【図４】図４（ａ）は、図２に示す目盛部８２の変形例を示すＩＶＡ部の拡大図であり、図４（ｂ）は、図４（ａ）中のＩＶＢ矢視図である。
【図５】図５は、図２に示すコンビネーションメータ１の第１変形例を示す断面図である。
【図６】図６は、図１に示すコンビネーションメータ１の第２変形例を示す断面図である。
【図７】図７は、図２に示すコンビネーションメータ１の第３変形例を示す断面図である。
【符号の説明】
【００８６】
１  コンビネーションメータ（指針計器）
２  文字盤、２１  文字部（指標部）、２２  目盛部（指標部）、２３  貫通孔
３  指針、３１  ムーブメント、３１ａ  シャフト、３２  遮光キャップ
４１  発光ダイオード（光源）、４２、４３  発光ダイオード
５  ケース、６  拡散板、７  プリズム
８  透光性リング（透光性部材）
８１  文字部（指標部、光反射層、シボ面、凹凸面）
８２  目盛部（指標部、光反射層、シボ面、凹凸面）
８３  受光面（導光部）、８４，８５  反射面
９  プリント基板、１０  制御装置、１１  速度センサ
１２  意匠板、１３  イグニッションスイッチ、１４  バッテリ
【図１】
2007212311.tif 000003
【図２】
2007212311.tif 000004
【図３】
2007212311.tif 000005
【図４】
2007212311.tif 000006
【図５】
2007212311.tif 000007
【図６】
2007212311.tif 000008
【図７】
2007212311.tif 000009